【手続補正書】
【提出日】平成21年4月15日(2009.4.15)
【手続補正１】
【補正対象書類名】特許請求の範囲
【補正対象項目名】全文
【補正方法】変更
【補正の内容】
【特許請求の範囲】
【請求項１】
相対する突き合わせ面を開口した全体略箱状の第１ホルダ半体と第２ホルダ半体とを組み合わせて構成され、内部空間部に環状型蛍光灯の口金に設けた口金ピンを接続するプラグと、上記環状型蛍光灯の口金を挟むガラス管の両側部位を弾持する少なくとも一対の略半円形保持部を有する弾性保持部材とを設け、上記内部空間部に上記口金部位を収納して上記環状型蛍光灯を支持するホルダ体を備え、
上記第１ホルダ半体には、上記プラグと上記弾性保持部材とを設けるとともに、相対する外周壁の開口縁部に上記環状型蛍光灯の上記ガラス管と略同一曲率の円周上に対向位置して開口され上記ガラス管の外径よりもやや大径の内径を有する半円形の第１ガラス管引出し凹部を形成し、耐熱特性と難滑り特性を有する素材により上記ガラス管の外径とほぼ等しい内径の半円形に形成された第１保持ブッシュ体をそれぞれ上記各第１ガラス管引出し凹部に組み付け、
上記第２ホルダ半体には、相対する外周壁の開口縁部に組み合わせ状態で上記第１ホルダ半体側の上記第１ガラス管引出し凹部と共同して上記ガラス管の外径よりもやや大径の内径を有するガラス管引出口を構成する半円形の第２ガラス管引出し凹部を形成し、弾性と難滑り特性を有する素材により上記ガラス管の外径とほぼ等しい内径の半円形に形成された第２保持ブッシュ体をそれぞれ上記各第２ガラス管引出し凹部に組み付け、
上記ホルダ体が、上記第１ホルダ半体内に上記環状型蛍光灯を組み付けた状態で、上記第２ホルダ半体を組み合わせることにより、上記ガラス管引出口において上記ガラス管の引き出し部位を上記第１保持ブッシュ体と上記第２保持ブッシュ体とにより挟み込んで保持することを特徴とする照明装置。
【請求項２】
上記ホルダ体が、駆動回路ユニット体を組み込んだ基台に立設された支柱に設けられてスタンド型として構成されることを特徴とする請求項１に記載の照明装置。
【請求項３】
上記ホルダ体の背面に上記プラグと接続されたジャックが突出して設けられ、駆動回路ユニット体を組み込んで壁面或いは天井に設置されるブラケット型取付部に着脱されることを特徴とする請求項１に記載の照明装置。
【請求項４】
上記ホルダ体に、上記プラグと接続されるコードを収納した吊り下げ部材を着脱自在に設け、上記吊り下げ部材を介して内部に駆動回路ユニット体を組み込んだ天井に設置した取付部に取り付けられることを特徴とする請求項１に記載の照明装置。
【手続補正２】
【補正対象書類名】明細書
【補正対象項目名】全文
【補正方法】変更
【補正の内容】
【発明の詳細な説明】
【発明の名称】照明装置
【技術分野】
【０００１】
本発明は、サークライン（登録商標）等の環状型蛍光灯をほぼ全周に亘って空中に浮かした状態に支持することにより、独自の照明形態を創出する照明装置に関する。
【背景技術】
【０００２】
照明装置は、形態的に卓上或いは床面に設置されるスタンド型、壁面等に設置するブラケット型或いは天井に設置するシーリング型等に大別される。また、蛍光灯は、内面に蛍光膜を形成したガラス管内に水銀を混合した放電ガスを封入し、電源に接続される口金を介して電極部から電圧を印加すると放電ガスから発生する紫外線に蛍光膜が反応して照明光を出射する。蛍光灯は、ガラス管の形状により直管型、Ｕ字管型或いは環状型に大別され、直管型やＵ字管型がガラス管の両端或いは一端に口金ピンを突出させた口金が固定される構造であり、環状型が環状のガラス管の両端を連結する口金が周回りに多少動く構造となっている。
【０００３】
照明装置は、上述したいずれの形態であっても、装置本体に蛍光灯等の発光源が着脱される基本形態をほぼ共通とする。照明装置は、装置本体に安定器等を有する駆動回路ユニット体が設けられるとともに、口金ピンと接続されるジャックやプラグ及び蛍光灯を適当な間隔で保持する板ばね等により形成された複数の保持部材が設けられる。照明装置は、室内等の雰囲気作りをする極めて重要な備品であり、間接照明装置を除いてもっぱら装置本体がその機能を担っていた。照明装置は、従来様々なデザイン、材質により装置本体が形成されていた。
【０００４】
照明装置においては、上述したように装置本体が主構造体であり、蛍光灯が単なる発光手段として位置付けされこの装置本体に設けたシェード等に覆われる構造であった。照明装置においては、例えばオフィスやホール等のように天井にマトリックス状に配列されて多数個が設置される場合には、広い領域に照明光がゆきわたるようにしてもっぱら照明機能を優先させる対応、シェードにより制限される室内印象の回避或いは単純化による機能的印象の強調等を目的として蛍光灯を露出させたものも提供されている（特許文献１）。かかる照明装置は、一般に直管型蛍光灯が用いられ、蛍光灯取付板に所定の対向間隔を以って立設されたソケット部間にガラス管の両端に設けられた口金が嵌合される。なお、かかる照明装置には、蛍光灯として、Ｕ字型蛍光灯を用いるものも提供されている。
【０００５】
【特許文献１】特開２００３−３０８７２０公報
【発明の開示】
【発明が解決しようとする課題】
【０００６】
ところで、一般家庭用の照明装置には、蛍光灯として、スペース効率に優れ、照明効率も高く、意匠展開の自由度が大きい等の特性を有する環状型蛍光灯を用いるものが多い。一方、かかる一般家庭用の照明装置においても、上述したオフィス等の照明と同様の理由によりシェードを有しない単純化された形態の蛍光灯露出型の要求が大きい。環状型蛍光灯を用いる照明装置においても、装置本体部やシェードを備えず、口金ピンを嵌合するプラグにより環状型蛍光灯を片持ち状態で保持することにより最も単純化した形態を得る。かかる照明装置は、あたかも空中に環状蛍光灯が浮いた状態で存在することにより、従来の照明装置からは全く得られない独自の雰囲気を醸し出すことを可能とする。
【０００７】
しかしながら、環状型蛍光灯は、上述したように口金が周回りに多少動く構造であることから、直管型蛍光灯等のように口金ピンを嵌合するプラグのみにより支持構造を構成することは困難である。環状型蛍光灯を用いる照明装置は、円周方向の適宜の位置に配置した板ばね等の保持部材により環状型蛍光灯を保持する構造が必要となり、シェードを無くしたとしても上述したような究極的な単純化形態の実現は到底困難であった。
【０００８】
したがって、本発明は、環状型蛍光灯を室内等の空中に浮かした状態で保持して独自の照明形態を創出する新規な照明装置を提供することを目的とする。
【課題を解決するための手段】
【０００９】
上述した目的を達成する本発明にかかる照明装置は、相対する突き合わせ面を開口した全体略箱状の第１ホルダ半体と第２ホルダ半体とを組み合わせて構成され、内部空間部に環状蛍光灯の口金に設けた口金ピンを接続するプラグと、環状蛍光灯の口金若しくはガラス管を弾持する少なくとも一対の略半円形保持部を有する弾性保持部材とを設け、内部空間部に口金部位を収納して環状蛍光灯を支持するホルダ体を備える。本発明にかかる照明装置は、第１ホルダ半体に、プラグと弾性保持部材とを設けるとともに、相対する外周壁の開口縁部に環状蛍光灯のガラス管と略同一曲率の円周上に対向位置して開口されガラス管の外径よりもやや大径の内径を有する半円形の第１ガラス管引出し凹部を形成し、耐熱特性と難滑り特性を有する素材によりガラス管の外径とほぼ等しい内径の半円形に形成された第１保持ブッシュ体をそれぞれ各第１ガラス管引出し凹部に組み付ける。本発明にかかる照明装置は、第２ホルダ半体に、相対する外周壁の開口縁部に組み合わせ状態で第１ホルダ半体側の第１ガラス管引出し凹部と共同してガラス管の外径よりもやや大径の内径を有するガラス管引出口を構成する半円形の第２ガラス管引出し凹部を形成するとともに、耐熱特性と難滑り特性を有する素材によりガラス管の外径とほぼ等しい内径の半円形に形成された第２保持ブッシュ体をそれぞれ各第２ガラス管引出し凹部に組み付ける。
【００１０】
以上のように構成された本発明にかかる照明装置によれば、第１ホルダ半体に対して環状蛍光灯が、プラグに口金に設けた口金ピンを接続するとともに、相対する第１ガラス管引出し凹部にガラス管の口金を挟む両側部位が嵌合されて外方へと引き出されて組み付けられる。本発明にかかる照明装置によれば、第２ガラス管引出し凹部を相対する第１ガラス管引出し凹部と突き合わせるようにして第１ホルダ半体に対して第２ホルダ半体が組み合わされて一体化される。本発明にかかる照明装置によれば、環状蛍光灯が引き出し部位において、第１ガラス管引出し凹部と第２ガラス管引出し凹部にそれぞれ組み付けられた第１保持ブッシュ体と第２保持ブッシュ体により周回り方向を挟持されることにより、口金とその両側部位のガラス管を最小限の範囲で被覆されてホルダ体により任意の姿勢に保持される。
【００１１】
本発明にかかる照明装置によれば、ホルダ体を駆動回路ユニット体を組み込んだ基台に立設された支柱に固定することにより、このホルダ体により環状蛍光灯を任意の姿勢、例えば水平方向に浮かんだ状態に保持して机上等を照明する新規なスタンドを構成する。また、本発明にかかる照明装置によれば、ホルダ体の背面にプラグと接続されたジャックを一体に突出して設け、駆動回路ユニット体を組み込んだ壁面や天井等に設置されるコンセント型取付部に着脱する新規な照明システムを構成する。さらに、本発明にかかる照明装置によれば、ホルダ体に、プラグと接続されるコードを収納した吊り下げ部材を着脱自在に設け、この吊り下げ部材を介して内部に駆動回路ユニット体を組み込んだ天井に設置した取付部に取り付けることにより吊り下げ型の照明装置を構成する。
【発明の効果】
【００１２】
本発明にかかる照明装置によれば、シェードや大形の本体部を不要としてホルダ体により口金とその両側部位のガラス管を最小限の範囲で被覆して環状蛍光灯を保持するように構成したことにより、あたかも環状蛍光灯が空中に浮かび「輪」を強調した照明を行う独自かつ新規な照明形態を創出することが可能である。本発明にかかる照明装置によれば、シェードや装置本体部を不要としてホルダ体が外装体を構成することから、低コスト化を図ることが可能である。
【発明を実施するための最良の形態】
【００１３】
以下、本発明の実施の形態について図面を参照して詳細に説明する。第１の実施の形態は、机上或いはフロアに設置して用いられるスタンド型照明装置１であり、一般に使用されている環状蛍光灯２が用いられ、図１に示すように環状蛍光灯２を保持するホルダ体３と、机上或いはフロアに設置する基台４と、この基台４に立設されてホルダ体３を支持する支柱体５とから構成される。なお、本明細書においては、環状蛍光灯の用語を用いているが、当該環状蛍光灯が、蛍光灯ばかりでなく例えば環状のＦＨＣ管等の環状のガラス管と口金を有する発光体も含むものとする。
【００１４】
環状蛍光灯２は、図２に示す市販品が用いられ、内面に蛍光膜を形成するとともに水銀を混合した放電ガスを封入したガラス管６と、このガラス管６の両端を連結するとともに複数の口金ピン７が設けられた口金８とから構成される。なお、環状蛍光灯２は、ガラス管６に対して口金８が、周回り方向に多少動く構造となっている。環状蛍光灯２には、いわゆるスリム型と称される管径が１６ｍｍの環状蛍光灯２を用いるようにするが、後述する保持構造の仕様を変えたホルダ体３を用いることにより一般的な２５ｍｍ径の環状蛍光灯を用いることも可能である。照明装置１においては、環状蛍光灯２が後述するように口金８とその両側のガラス管６をホルダ体３によって支持され、ほぼ全周に亘って露出された状態で用いられる。したがって、環状蛍光灯２には、詳細を省略するが破損等の万一の事態に備え、ガラス管６が透明若しくは半透明の飛散防止フィルム或いはコーティング膜によって被覆したものを用いるようにしてもよい。
【００１５】
照明装置１は、基台４に電源スイッチ９と商用電源と接続される電源コード１０が設けられるとともに内部に電源コード１０と接続される詳細を省略するトランスやコンデンサ等の各種電気部品を搭載して安定器を構成する駆動回路ユニット体１１が組み込まれている。照明装置１は、図示を省略するが駆動回路ユニット体１１から引き出された電源線が支柱体５を介してホルダ体３内に導かれる。照明装置１は、詳細を後述するようにホルダ体３内に電源線と接続されたプラグ１２が設けられ、このプラグ１２に口金ピン７を嵌合することにより環状蛍光灯２に電源を供給する。なお、駆動回路ユニット体１１は、安定器ばかりでなく、必要に応じて例えばインバータ回路や調光回路等を搭載してもよいことは勿論である。
【００１６】
ホルダ体３は、図３に示すように、相対する突き合わせ面をそれぞれ開口した全体略矩形の箱状を呈する第１ホルダ半体１３と第２ホルダ半体１４とを組み合わせて、内部に環状蛍光灯２の口金部位を収納する内部空間部１５が構成される。第１ホルダ半体１３は、例えばアルミ材やアルミ合金材を素材とするダイキャスト成形により全体がやや厚みを有して形成され、図３及び図４に示すように底面部１３Ａの略中央部に位置して支柱体５を取り付ける支柱体取付孔１６が形成されるとともに、コネクタ１７を取り付けるコネクタ取付孔１８が形成されている。
【００１７】
第１ホルダ半体１３には、環状蛍光灯２の口金８よりも大きな対向間隔とされた外周壁１３Ｂの相対する開口縁部１３Ｃに、相対する一対の第１ガラス管引出し凹部１９Ａ、１９Ｂ（以下、個別に説明する場合を除いて第１ガラス管引出し凹部１９と総称する。）が形成されている。第１ガラス管引出し凹部１９は、それぞれ環状蛍光灯２のガラス管６の外径よりもやや大径とされた半円形の凹部からなり、ガラス管６と略同一曲率の円周上に位置して外周壁１３Ｂに形成されている。
【００１８】
各第１ガラス管引出し凹部１９には、それぞれ第１保持ブッシュ体２０Ａ、２０Ｂ（以下、個別に説明する場合を除いて第１保持ブッシュ体２０と総称する。）がそれぞれ組み付けられる。第１保持ブッシュ体２０は、例えばシリコンラバー等の耐熱特性と難滑り特性を有しまた多少の弾性を有する素材が用いられて、図４に示すように全体略半円筒形に形成される。第１保持ブッシュ体２０は、厚み方向に貫通する半円形の内孔が、ガラス管６の外径とほぼ等しい内径を有して後述するようにガラス管６の外周部を保持するガラス管引出し孔半体２１を構成する。第１保持ブッシュ体２０には、外周部に第１ホルダ半体１３の外周壁１３Ｂの厚みとほぼ等しい溝幅を有する嵌合溝２２が形成されている。
【００１９】
第１ホルダ半体１３には、図３及び図４に示すように第１ガラス管引出し凹部１９に対してその開口縁に嵌合溝２２を嵌合させて第１保持ブッシュ体２０が組み付けられる。第１ホルダ半体１３は、この状態において第１ガラス管引出し凹部１９に対して第１保持ブッシュ体２０が、外周壁１３Ｂの開口縁と両端部が互いに同一面を構成するようにして組み付けられる。なお、第１保持ブッシュ体２０は、嵌合溝２２を構成するフランジ部位が開口縁を挟み込むことから第１ガラス管引出し凹部１９に対して特に接着剤等により固定する必要は無いが、固定してもよい。
【００２０】
第１ホルダ半体１３は、図３に示すように支柱体取付孔１６から支柱体５の先端部が貫通され、この先端部に形成した外周ねじにナット２３をねじ込むことにより支柱体５に固定される。なお、第１ホルダ半体１３は、外周部位に適宜の取付部を一体に形成し、この取付部を介して支柱体５に固定されるようにしてもよい。また、第１ホルダ半体１３は、支柱体取付孔１６と取付部とを形成することにより、支柱体５ばかりでなく壁面等への取付も可能とするようにしてもよく、不要な場合に支柱体取付孔１６にブッシュ等を嵌め込むようにする。
【００２１】
第１ホルダ半体１３には、図３及び図４に示すようにコネクタ取付孔１８に嵌合されてコネクタ１７が組み付けられ、このコネクタ１７から引き出されたリード線２４にプラグ１２が接続されている。コネクタ１７は、第１ホルダ半体１３の底面部１３Ａから露出された部位にピン端子１７Ａが設けられており、基台４に内蔵した駆動回路ユニット１１から引き出された図示しない電源線に設けたプラグが接続される。なお、ホルダ体３は、例えばコネクタ１７に代えて端子基板を第１ホルダ半体１３の底面部１３Ａに固定し、支柱体５の内部を貫通されて先端部から引き出された電源線を接続するようにしてもよい。
【００２２】
第１ホルダ半体１３には、図３及び図４に示すように底面部１３Ａに環状蛍光灯２の脱落を防止する弾性保持部材２５が取り付けられている。弾性保持部材２５は、板ばね材を素材として一体に形成され、矩形の基部２６と、この基部２６の両端部から直交状態に連設されて互いに平行に対峙する一対の保持片部２７Ａ、２７Ｂ（以下、個別に説明する場合を除いて保持片部２７と総称する。）とからなる。弾性保持部材２５は、各保持片部２７が、それぞれ所定の長さ位置において高さ方向に折曲されるとともに上端部位をガラス管６の外径とほぼ同等の曲率で半円形に湾曲されることによりガラス管保持部２８Ａ、２８Ｂ（以下、個別に説明する場合を除いてガラス管保持部２８と総称する。）を形成している。
【００２３】
弾性保持部材２５は、基部２６が底面部１３Ａ上の支柱体取付孔１６とコネクタ取付孔１８間に位置して取付ねじ２９により底面部１３Ａ上に固定されて第１ホルダ半体１３に取り付けられる。弾性保持部材２５は、この状態で図４に示すように各ガラス管保持部２８が第１ガラス管引出し凹部１９と同軸線上位置してそれぞれ対向位置する。弾性保持部材２５は、同図において右側のガラス管保持部２８Ａが外周壁１３Ｂの右側部位の内方に位置するが、右側の第１ガラス管引出し凹部１９Ａと共同してガラス管６の外径とほぼ等しい右側のガラス管保持孔を構成する。また、弾性保持部材２５は、同図において左側のガラス管保持部２８Ｂも外周壁１３Ｂの左側部位の内方に位置するが、左側の第１ガラス管引出し凹部１９Ｂと共同してガラス管６の外径とほぼ等しい左側のガラス管保持孔を構成する。
【００２４】
ところで、弾性保持部材２５は、ガラス管６に対してガラス管保持部２８が大きな弾性力で挟み込むことによりホルダ体３に対して環状蛍光灯２を固定させる機能を奏する部材では無い。弾性保持部材２５は、後述するようにガラス管保持部２８によりガラス管６の口金８を挟む両側部位６Ａ、６Ｂの外周部を弾持して第１ホルダ半体１３側に押し付けてホルダ体３からの環状蛍光灯２の脱落を防止するようにすればよい。したがって、弾性保持部材２５は、比較的薄厚の板ばね材によって形成することが可能であり、ホルダ体３を小型薄型するとともに環状蛍光灯２が簡易に着脱されるようにする。なお。弾性保持部材２５は、ガラス管６を保持することにより環状蛍光灯２から発生した熱を第１ホルダ半体１３に伝導して放熱が行われるようにする機能も奏する。
【００２５】
第２ホルダ半体１４も、例えばアルミ材やアルミ合金材を素材としてダイキャスト成形され、図３に示すようにその開口部を第１ホルダ半体１３の開口部に突き合わせて組み合わすことにより平坦な外周面と内部空間部１５を有するホルダ体３を構成する。第２ホルダ半体１４は、第１ホルダ半体１３に組み合わされて内部空間部１５を閉塞するカバー機能を奏するとともに、後述するように第１ホルダ半体１３と共同して環状蛍光灯２を保持する保持機能を奏する。第２ホルダ半体１４は、上述した第１ホルダ半体１３のように支柱体５の取付機能を有しないことから、第１ホルダ半体１３と比較して機械的剛性がやや小さくてもよく、例えば耐熱性を有する合成樹脂材によって形成することも可能である。
【００２６】
第２ホルダ半体１４には、外周壁１４Ａの開口縁部１４Ｂに、内周側に沿って適宜の間隔を以って複数のかしめ凸部３０が一体に突出形成される。第２ホルダ半体１４は、これらかしめ凸部３０が第１ホルダ半体１３側の開口縁部１３Ｃの内周縁に沿って嵌合することにより、第１ホルダ半体１３と一体化されて内部に上述したように内部空間部１５を構成する。
【００２７】
第２ホルダ半体１４にも、上述した第１ホルダ半体１３側の第１ガラス管引出し凹部１９にそれぞれ対応して、外周壁１４Ａの開口縁部１３Ｃに、一対の第２ガラス管引出し凹部３１Ａ、３１Ｂ（以下、個別に説明する場合を除いて第２ガラス管引出し凹部３１と総称する。）が形成される。第２ホルダ半体１４にも、これら第２ガラス管引出し凹部３１に上述した第２保持ブッシュ体３２Ａ、３２Ｂ（以下、個別に説明する場合を除いて第２保持ブッシュ体３２と総称する。）がそれぞれ組み付けられる。
【００２８】
第２ガラス管引出し凹部３１も、それぞれ環状蛍光灯２のガラス管６の外径よりもやや大径とされた半円形の凹部からなり、ガラス管６と略同一曲率の円周上に位置して外周壁１４Ａの開口縁部１４Ｂに形成される。各第２保持ブッシュ体３２も、シリコンラバー等の耐熱特性と難滑り特性を有するとともに多少の弾性を有する素材が用いられて、図５に示すように全体略半円筒形に形成される。第２保持ブッシュ体３２は、厚み方向に貫通する半円形の内孔が、ガラス管６の外径とほぼ等しい内径を有して後述するようにガラス管６の外周部を保持するガラス管引出し孔半体３３を構成する。第２保持ブッシュ体３２にも、外周部に第２ホルダ半体１４の外周壁１４Ａの厚みとほぼ等しい溝幅を有する嵌合溝３４が形成されている。なお、第２保持ブッシュ体３２は、上述したように第１保持ブッシュ体２０と同等に構成されることから、共通部材として第１保持ブッシュ体２０を上下反転して第２ホルダ半体１４に組み合わせて用いられる。
【００２９】
第２ホルダ半体１４には、図５及び図６に示すように第２ガラス管引出し凹部３１に対してその開口縁に嵌合溝３４を嵌合させて第２保持ブッシュ体３２が組み付けられる。第２ホルダ半体１４は、この状態において第２ガラス管引出し凹部３１に対して第２保持ブッシュ体３２が、外周壁１４Ａの開口縁と両端部が互いに同一面を構成するようにして組み付けられる。なお、第２保持ブッシュ体３２も、嵌合溝３４を構成するフランジ部位が開口縁を挟み込むことから第２ガラス管引出し凹部３１に対して特に接着剤等により固定する必要は無いが、組立性を考慮するならば脱落を防止するために固定してもよい。
【００３０】
ホルダ体３は、第１ホルダ半体１３に対してそのコネクタ取付孔１８にコネクタ１７を取り付けるとともに、リード線２４によりプラグ１２を接続して組み合わせる。ホルダ体３は、第１ホルダ半体１３に対して、底面部１３Ａ上に弾性保持部材２５を取付ねじ２９により取り付けるとともに、各第１ガラス管引出し凹部１９にそれぞれ第１保持ブッシュ体２０が組み付けられる。一方、ホルダ体３は、第２ホルダ半体１４に対しても、各第２ガラス管引出し凹部３１にそれぞれ第２保持ブッシュ体３２が組み付けられる。
【００３１】
ホルダ体３においては、第１ホルダ半体１３に対して環状蛍光灯２が、図６に示すように弾性保持部材２５のガラス管保持部２８Ａ、２８Ｂ間に口金８を位置させるとともにこの口金８を挟むガラス管６の両側部位６Ａ、６Ｂが第１保持ブッシュ体２０Ａ、２０Ｂを組み付けた第１ガラス管引出し凹部１９Ａ、１９Ｂからそれぞれ外方へと引き出されて組み合わされる。環状蛍光灯２は、この際に弾性保持部材２５のガラス管保持部２８Ａ、２８Ｂを押し広げるようにしてガラス管６が組み合わされることにより、第１ガラス管引出し凹部１９Ａ、１９Ｂからの引き出し部位において両側部位６Ａ、６Ｂを第１保持ブッシュ体２０Ａ、２０Ｂに押し付けて弾持するようにする。
【００３２】
ホルダ体３においては、図３及び図６に示すように口金８の口金ピン７にプラグ１２を嵌合することにより環状蛍光灯２の電気的接続が行われる。ホルダ体３においては、開口縁部１３Ｃの内周部位にかしめ凸部３０を相対嵌合させて第１ホルダ半体１３に対して第２ホルダ半体１４が組み合わされ、第２ホルダ半体１４を強く押し込むことにより第１ホルダ半体１３と第２ホルダ半体１４とが一体化される。ホルダ体３においては、これによって第１ホルダ半体１３側の各第１保持ブッシュ体２０と第２ホルダ半体１４側の各第２保持ブッシュ体３２が突き合わされ、それぞれのガラス管引出し孔半体２１、３３が共同して環状蛍光灯２のガラス管６と同径のガラス管引出し孔を構成する。
【００３３】
ホルダ体３においては、引出し部位において、環状蛍光灯２の口金８を挟むガラス管６の右側部位６Ａの外周部を第１保持ブッシュ体２０Ａと第２保持ブッシュ体３２Ａとにより全周に亘って挟持するとともに、左側部位６Ｂの外周部を第１保持ブッシュ体２０Ｂと第２保持ブッシュ体３２Ｂとにより全周に亘って挟持する。ホルダ体３においては、上述したように第１保持ブッシュ体２０と第２保持ブッシュ体３２が耐熱特性と難滑り特性を有しかつ多少の弾性を有するシリコンラバー等によって形成されて環状蛍光灯２のガラス管６を全周に亘って挟持することから、環状蛍光灯２を最小限の範囲で被覆しかつ片持ち状態で安定して保持することを可能とする。
【００３４】
なお、ホルダ体３は、上述したように環状蛍光灯２の口金部位を収納して保持することから、環状蛍光灯２から発生した熱が内部空間部１５に籠もる虞がある。ホルダ体３は、第１ホルダ半体１３と第２ホルダ半体１４をやや厚みのあるアルミダイキャスト製としたことにより良好な放熱特性を有することから、高熱となることは無い。ホルダ体３は、特に必須の構成では無いが、例えば第１ホルダ半体１３や第２ホルダ半体１４に放熱用スリットを設けてさらに放熱特性を向上させるようにしてもよい。
【００３５】
ホルダ体３は、基台４に立設した支柱体５に取り付けられて照明装置１を構成する。したがって、照明装置１は、図１に示すように環状蛍光灯２が直接空中に浮かび「輪」を強調して机上を照明する独自かつ新規な照明形態を創出するスタンド照明装置を構成する。照明装置１は、従来の照明装置のようにシェードや蛍光灯の保持構造を不要とすることから、低コスト化が図られる。照明装置１は、あらゆる方向に対してほぼ均等に照明光を出射することから、手元照明と全体照明とが同時に行われるようにする。照明装置１は、ホルダ体３において第１保持ブッシュ体２０と第２保持ブッシュ体３２とにより環状蛍光灯２のガラス管６を挟み込んで保持する構造であることから、環状蛍光灯２を適宜に回動させることにより図１に鎖線で示すように任意の角度とすることが可能である。
【００３６】
照明装置１においては、上述したように第１ホルダ半体１３と第２ホルダ半体１４とをいわゆる嵌め込み構造により一体化してホルダ体３が構成される。ホルダ体３は、かかる構成に限定されるものではなく、例えば第１ホルダ半体１３に対して第２ホルダ半体１４をヒンジ構造等の適宜の組み合わせ構造を介して一体化するようにしてもよく、またストッパ構造により一体化した状態を保持するように構成してもよい。
【００３７】
第２の実施の形態として図７に示した照明装置４０は、例えば壁面４１等に設置した電源コンセント部４２に直接取り付けることにより、壁面４１等を照明することにより室内全体の視覚的明るさ感或いは空間的広がりを感じさせるようにするいわゆるブラケット型照明装置である。照明装置４０は、環状蛍光灯２を保持するホルダ体４３と、電源コンセント部４２側に設置される駆動回路ユニット体４４とから構成される。照明装置４０は、室内の各所に設置した電源コンセント部４２に対して着脱される。
【００３８】
電源コンセント部４２は、一般的な電源コンセントとほぼ同様であることから詳細な説明を省略するが、壁面４１に形成した開口部４５を閉塞してパネル４６が取り付けられ、このパネル４６の背面側に詳細を省略するコンセント金具４７が組み合わされている。電源コンセント部４２は、パネル４６に複数個のジャック孔４８が形成され、これらジャック孔４８にホルダ体４３側に設けた後述するジャック４９を相対嵌合することによりホルダ体４３が取り付けられるようにする。電源コンセント部４２は、開口部４５内に駆動回路ユニット体４４を収納し、この駆動回路ユニット体４４とコンセント金具４７に設けた図示しない端子とが電気的に接続される。
【００３９】
ホルダ体４３は、基本的な構成を上述したホルダ体３とほぼ同様とされることから対応する部位に同一符号を付すことにより説明を省略する。ホルダ体４３は、第１ホルダ半体１３に底面部１３Ａに設けたコネクタ１７に、ピン端子１７Ａに代えて背面側へと突出する複数個のジャック４９が設けられる。ホルダ体４３は、上述したように環状蛍光灯２を片持ち状態で保持することから、電源コンセント部４２に取り付けた状態においてはジャック孔４８に嵌合されたジャック４９に負荷が集中する。したがって、ホルダ体４３は、ジャック４９が、一般的な電源プラグのジャックと比較してやや大きな厚みで機械的剛性を有するとともに長軸に形成したものを用いることが好ましい。なお、照明装置４０は、ホルダ体４３側のジャック４９を電気的接続用のジャックとともにダミージャックによって構成し、また電源コンセント部４２側にも対応する個数のジャック孔４８を設けるとともにコンセント金具４７に適宜のジャック保持構造を設けるようにしてもよい。なお、ホルダ体４３は、上述したホルダ体３を兼用する場合に、支柱体取付孔１６に防塵用のブッシュが嵌め込まれる。
【００４０】
以上のように構成された照明装置４０は、図７に示すように環状蛍光灯２が第２ホルダ半体１４と直交する向きでホルダ体３に保持される。照明装置４０は、同図に示すように各ジャック４９を相対するジャック孔４８に嵌合することによりホルダ体４３が電源コンセント部４２に直接取り付けられる。照明装置４０は、環状蛍光灯２が壁面４１に対して直交して空中に浮かび「輪」を強調して照明する独自かつ新規なブラケット型照明装置を構成する。照明装置４０においても、従来の照明装置のようにシェードや蛍光灯の保持構造を不要とすることから低コスト化が図られるとともに、あらゆる方向に対してほぼ均等に照明光を出射して効率的な照明が行われるようにする。
【００４１】
図８及び図９に第３の実施の形態として示した照明装置５０も、ブラケット型照明装置に分類される照明装置であるが、例えば天井５１に設けた円形凹部５２内に設置される。照明装置５０は、円形凹部５２の内周壁の一部を構成する円弧状の取付板５３に駆動回路ユニット体４４が設置され、取付板５３に設けた電源コンセント部４２に上述した第２の実施の形態で示したジャック４９を突設したホルダ体４３が着脱されて構成される。照明装置５０は、円形凹部５２の底面（天井面）や内周面がシェードとしても機能し、円形がより強調された極めて特徴的な天井照明装置を構成する。
【００４２】
照明装置５０は、上述した構造を基本構成として、例えばより大径の円形凹部を天井５１に設けるとともに、この円形凹部内にそれぞれホルダ体４３に保持された多数個の環状蛍光灯２を設置してシャンデリア型照明装置を構成することも可能である。また、照明装置５０は、例えば床面或いは壁面等に円形凹部を設けるとともにこの円形凹部の開口部を透明若しくは着色半透明の導光プレートで閉塞し、その内部にホルダ体４３により環状蛍光灯２を保持して設置する照明装置を構成することも可能である。照明装置５０は、床面や壁面内において点灯された環状蛍光灯２が光輝して極めて特徴的な床面或いは壁面照明装置を構成する。
【００４３】
図１０に第４の実施の形態として示した照明装置６０は、天井６１に設けたシーリングブラケット６２に吊下げ部材６３を介してホルダ体４３を吊り下げるとともに、このホルダ体４３により環状蛍光灯２を保持したいわゆるシーリング型照明装置である。照明装置６０は、天井６１の内側にシーリングブラケット６２と電気的に接続されて駆動回路ユニット体１１が設置される。
【００４４】
照明装置６０には、ホルダ体４３の第１ホルダ半体１３に設けた支柱体取付孔１６を利用して適宜の長さのパイプ材等からなる吊下げ部材６３が取り付けられる。照明装置６０は、吊下げ部材６３の内部に電源線が挿通されるとともに他端側に天井側のシーリングブラケット６２と結合される結合用のシーリングブラケット６４が設けられる。なお、天井６１側のシーリングブラケット６２とホルダ体４３側のシーリングブラケット６４が、一般的な天井と照明器具とに設けられるシーリングブラケット同等であることから説明を省略するが、機械的結合とともに電気的結合を行う機能を有している。
【００４５】
照明装置６０は、環状蛍光灯２が口金部位をホルダ体４３によって保持されるが、空中に浮かんで「輪」を強調して照明することで独自かつ新規な天井照明形態を創出する。照明装置６０においても、シェードや蛍光灯の保持構造を不要とすることから、低コスト化が図られるとともにあらゆる方向に対してほぼ均等に照明光を出射することから、効率的な全体照明が行われるようにする。照明装置６０も、ホルダ体４３において第１保持ブッシュ体２０と第２保持ブッシュ体３２とにより環状蛍光灯２のガラス管６を挟み込んで保持する構造であることから、環状蛍光灯２を適宜の角度に調整可能である。
【００４６】
なお、照明装置６０は、吊下げ部材６３に結合用のシーリングブラケット６４を設けるようにしたが、例えば天井の高さが低い場合等において第１ホルダ半体１３の背面に直接シーリングブラケット６４を取り付けるようにしてもよい。また、照明装置６０は、第１ホルダ半体１３の背面にシーリングブラケット６４と同等の結合部を一体に形成するようにしてもよいことは勿論である。照明装置は、上述したシーリングタイプに限らず他の吊下げ構造により天井に吊り下げて用いるようにしてもよい。
【００４７】
本発明においては、上述した各実施の形態で示したタイプの照明装置に限定されて専用に提供されるものでは無い。本発明においては、例えばホルダ体３と、基台４と、支柱体５と、電源コンセント部４２と、駆動回路ユニット体１１、４４等をそれぞれ別パーツとして個々に提供し、ユーザがこれらパーツを適宜組み合わせることにより上述した各タイプの照明装置を構成する実施の態様にも適用されることは勿論である。
【図面の簡単な説明】
【００４８】
【図１】第１の実施の形態として示すスタンド型照明装置の斜視図である。
【図２】環状蛍光灯の斜視図である。
【図３】ホルダ体の構造を示す断面図である。
【図４】第１ホルダ体の内部構造を示す分解斜視図である。
【図５】第２ホルダ体の内部構造を示す分解斜視図である。
【図６】第１ホルダ体に環状蛍光灯を取り付けた状態の要部斜視図である。
【図７】第２の実施の形態として示すブラケット型照明装置の要部断面図である。
【図８】第３の実施の形態として示す天井照明装置の要部斜視図である。
【図９】同天井照明装置の分解斜視図である。
【図１０】第４の実施の形態として示す天井照明装置の要部側面図である。
【符号の説明】
【００４９】
１ 照明装置、２ 環状蛍光灯、３ ホルダ部材、４ 基台、５ 支柱台、６ ガラス管、７ 口金ピン、８ 口金、１１ 駆動回路ユニット体、１２ プラグ、１３ 第１ホルダ半体、１４ 第２ホルダ半体、１５ 内部空間部、１７ コネクタ、１９ 第１ガラス管引出し凹部、２０ 第１保持ブッシュ体、２５ 弾性保持部材、２８ ガラス管保持部、３０ かしめ凸部、３１ 第２ガラス管引出し凹部、３２ 第２保持ブッシュ体、４０ 照明装置、４１ 壁面、４２ 電源コンセント部、４３ ホルダ体、４４ 駆動回路ユニット体、４５ 開口部、４６ パネル、４７ コンセント金具、４８ ジャック孔、４９ ジャック、５０ 照明装置、５１ 天井、５２ 円形凹部、５３ 取付板、６０ 照明装置、６１ 天井、６２ シーリングブラケット、６３ 吊下げ部材、６４ シーリングブラケット